(57)【特許請求の範囲】
【請求項１】
迷惑電話発信側からの着信に応答後、回線へ所定の対策音を出力する迷惑電話対策音出力機能を有する電話機において、
前記対策音を出力指示するためのキーと、制御部と、を有し、
前記制御部は、前記発信側からの着信があり、前記発信側から音声が出力されない期間（無音期間）が所定時間以上であると判定すると、前記キーによる操作を有効とすることを特徴とする迷惑電話対策音出力機能を有する電話機。
【発明の詳細な説明】
【技術分野】
【０００１】
本発明は、公衆電話回線網に接続される電話機、コードレス電話機、ファクシミリ装置機能を有するなるいはファクシミリ機能を有する電話機に関するものであり、無言電話などの迷惑電話を抑制するための対策音の出力機能を有する電話機に関する。特に本発明は、迷惑電話の対策音の出力機能を有する電話機において、迷惑電話発信者に向けて有効に対策音出力を機能させるように、オンフック後も一定時間対策音出力を継続するようにし、かつ、その後、利用者が通話のためオフフック操作した場合に所定時間経過後に回線を再捕捉するようにした電話機に関するものである。
【背景技術】
【０００２】
従来からオフィスや家庭において、公衆電話回線網に接続される加入電話のような固定電話機の他、無線通信機能により結ばれる親機と子機からなるコードレス電話機が広く使用されている。近年ではファクシミリ装置が接続可能な電話機、親機にファクシミリ機能を備えた電話機やコードレス電話機も普及している。本明細書においてはコードレス電話装機やファクシミリ機能を有する電話機を含み電話機と総称することとする。
【０００３】
最近では電話機対して無言電話や悪戯電話などの迷惑電話が着信する被害も増加しており、このような迷惑電話の着信時に相手方電話機（発信側電話機）に対して、不快感を与えるような音（撃退音：以下、対策音ということとする）を出力することによって再度同じ発信者から迷惑電話がかからないように抑止する手段も提案されている。
【０００４】
例えば、下記の特許文献１（特開平８−１４９２０２号公報）には「コードレス電話機」として迷惑電話対応出力（撃退音を出力する）電話機が開示されている。このコードレス電話機は、手間をかけることなく、悪戯撃退音の効果を上げるように考慮されたものであり、電話機に悪戯撃退音を出力する機能と受信した利用者が迷惑電話であると判断した時に悪戯撃退音を出力するための操作キーとを備え、利用者が悪戯電話と判断すると操作キーを押して相手方に撃退音を出力開始し、話中音が検出される間は撃退音を出力し、相手が電話を切り話中音が検出されなくなると通話を終了して待機状態に戻るように構成している。
【０００５】
図９は上記特許文献１に開示されたコードレス電話機における迷惑電話着信時の動作手順を示すフローチャートである。図９に示されるように、利用者が電話を受信して通信中に悪戯電話と判断するとキー操作によりＳ１の動作が行われ悪戯撃退音が回線に送出される。次にＳ２において、コードレス受話器がオンチャージされているか否かが判断され、オンチャージされているとステップＳ３に移行し、そうでないとＳ４に移行する。Ｓ３では悪戯撃退音を回線と拡声スピーカに出力しＳ５に移行する。Ｓ４では悪戯撃退音を回線とコードレス受話器に出力しＳ５に移行する。Ｓ５では回線から話中音が検出されるか否かを判断し、話中音が検出されるとＳ６に移行し、そうでないとＳ２が繰り返される。Ｓ６では通話を終了して待機状態となる。
【特許文献１】特開平８−１４９２０２号公報（図１、図２、段落［０００６］）
【発明の開示】
【発明が解決しようとする課題】
【０００６】
上記特許文献１に開示されたコードレス電話機においては、所定のキー操作に基づいて撃退音が回線へ出力される。しかしながら、キー操作をするだけで簡単に撃退音が出力できる構成であれば、いたずら目的でない相手先にも誤って撃退音が出力される可能性がある。できるなら、いたずら目的である相手先にのみ確実に撃退音が出力されることが好ましい。
【課題を解決するための手段】
【０００７】
本発明は、迷惑電話発信側からの着信に応答後、回線へ所定の対策音を出力する迷惑電話対策音出力機能を有する電話機において、前記対策音を出力指示するためのキーと、制御部と、を有し、前記制御部は、前記発信側からの着信があり、前記発信側から音声が出力されない期間（無音期間）が所定時間以上であると判定すると、前記キーによる操作を有効とすることを特徴とする。
【発明の効果】
【００１０】
本発明では、発信側から音声が出力されない期間（無音期間）が所定時間以上であると判定すると、対策音を出力指示するためのキーを有効とする為、間違えていたずら目的でない相手先に対策音を出力することを禁止することが可能であり、更に、確実にいたずら目的の相手先のみに対策音を出力することが可能である。
【発明を実施するための最良の形態】
【００１２】
以下、本発明の具体例を実施例及び図面を用いて詳細に説明する。図１は本発明の実施例にかかる迷惑電話対策音出力機能を有する電話機の構成を示す外観図である。図２は本発明の実施例にかかる迷惑電話対策音出力機能を有する電話機の構成を示すブロック図である。本実施例においてはコードレス電話機を例に説明を進めるが、コードレス電話機の他、通常の固定電話機、あるいはファクシミリ機能を有する電話機、あるいはファクシミリ装置を接続可能な電話機やコードレス電話機などにも適用可能である。
【実施例１】
【００１３】
図１は、本発明の実施例１にかかるコードレス電話機１０の外観を示す図である。以下の実施例１においては、コードレス電話機１０において、迷惑電話を受信した場合にその抑制のための対策音を発信者側に出力する際の構成、また、その後利用者が通話のためオフフック操作した場合に所定時間経過後に回線を再捕捉する構成について説明する。
【００１４】
コードレス電話機１０は親機２０と子機３０とが無線で接続された構成となっており、子機３０から親機２０を介して通話の受信、発信が行えるようになっている。親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００１５】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
【００１６】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話機１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。
【００１７】
操作・表示部２６には図示していないが、利用者が着信した電話を迷惑電話と判断したい場合に撃退音などの対策音を出力させるための操作を行う「対策選択キー」が設けられている。また、制御部２４には対策選択キーが操作された場合、あるいは後述する判別により親機２０が着信を迷惑電話と判別したことを検出する対策選択検出部２４１が設けられている。更に、メモリ２７には、迷惑電話対策処理部２７１が設けられ、着信回線の接続継続を制御するための回線接続継続処理部２７２、迷惑電話に対する対策音（撃退音）出力制御部２７３、オフフック検出部２７４、回線接続切断処理部２７５が設けられている。これらの機能は実質的にはプログラム制御により後述の動作手順のように行われる。
【００１８】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
【００１９】
着信が迷惑電話であるか否かの判別は、次のいくつかの方法を単独でまたは組み合わせて行うことができる。第１は、利用者が着信電話を迷惑電話と判断して対策選択キーを操作した場合である。第２は、同じ発信元から所定回数以上連続した着信があった場合である。前記第２の判別を行うために、メモリ２７に図４に示す着信履歴を記憶しておく。
【００２０】
すなわち、図４のように着信履歴は、着信ごとに相手方の電話番号、着信時刻、音声録音の有無、着信回数を記憶するように構成される。記憶の順序は着信順に記憶部のアドレスを進め、古い着信から新しい着信の順である。従って、連続したアドレスに同じ電話番号の電話から着信があれば、その電話番号からの着信回数をカウントすれば連続した着信であると判別することができる。
【００２１】
別の着信履歴の記憶方法によれば、着信した相手方の電話番号ごとに着信時刻、音声録音有無、着信回数を記憶するように構成し、着信回数をカウントするにあたり、着信時刻が連続していれば所定回数に達するまでカウントし、着信時刻が連続していなければカウント値をクリアするようにすることもできる。これにより着信回数を参照すれば連続した着信であると判別することができる。
【００２２】
本実施例１においては、迷惑電話であることを対策選択検出部２４１が自動的に判別するとオフフックしなくても相手方と回線接続し、相手方が回線切断するまで迷惑電話に対する対策音を継続出力する。また、着信電話に対してオフフックして回線接続し通話を開始した後、利用者が迷惑電話と判別して対策キーを操作した場合、オンフックしても所定時間の間対策音出力を継続する。これらの処理が回線接続継続処理部２７２、対策音出力制御部２７３、回線接続切断処理部２７５の制御により行われる。その後、利用者が通話のためにオフフック操作した場合には、オフフック検出部２７４が所定時間経過後に対策音出力を停止し、通話（発呼）を可能とするように制御する。
【００２３】
図５、図６に示すフローチャートに基づいて親機２０における上記の迷惑電話に対する対策音出力制御の手順について説明する。ステップＳ１１の処理において着信があると、ステップＳ１２の処理において発呼側の電話番号を取得する。発呼側電話番号を取得すると、対策選択検出部２４１は、ステップＳ１３の処理において図４の着信履歴を参照して以前に着信した発呼側電話番号と同一かを判定する。
【００２４】
同一の場合、ステップＳ１４の処理において着信回数（連続）が所定回数（例えば３回）を超過したかを判定する。着信回数（連続）が所定回数を超えていなければ通常の着信と判断し、ステップＳ１９の処理に進みタイマＡ（第１タイマ）の計数をスタートしてステップ２０において着信音を鳴動させる。所定回数を超過した場合は、対策選択検出部２４１は迷惑電話と判定し、ステップＳ１５以降の処理に入り対策音出力の処理を行う。
【００２５】
すなわち、ステップＳ１５の処理において回線接続切断処理部２７４は回線を接続し、対策音出力制御部２７３はステップＳ１６の処理において対策音を出力し、ステップＳ１７の処理において通話の録音を行う（録音機能をオンしていない場合はこの処理はスキップされる）。そしてステップＳ１８の処理において相手側が回線を切断したか否かが検出され、回線切断でなければステップＳ１６の処理に戻り、対策音の出力が継続される。回線切断が検出されたならばステップＳ１１の処理に戻り着信待ちの状態に復帰する。
【００２６】
一方、ステップＳ２０の処理において着信音を鳴動させた後、利用者が受信のためステップＳ２１の処理において親機２０の受話器をオフフックすると、ステップＳ２８の処理でタイマＡの計数をクリアし、ステップＳ２９の処理において着信音の鳴動を停止し、ステップＳ３０の処理において発信側との回線を接続し、ステップＳ３１の処理において相手側が回線切断したかの監視を行う。相手側が回線切断したことが検出されるとステップＳ１１の処理に戻り着信待ちの状態に復帰する。
【００２７】
相手側が回線切断していなければステップＳ３２の処理において対策選択検出部２４１は、利用者が着信した電話を迷惑電話と判断したい場合に撃退音などの対策音を出力させるための操作を行う操作・表示部２６の「対策選択キー」が操作され、対策選択を行ったか否かが検出される。対策選択キーが操作されていなければステップＳ３１に戻り、相手側の回線切断の監視を継続する。この間、親機２０においては相手側との通話動作が行われることはいうまでもない。
【００２８】
対策選択キーが操作されると、対策選択検出部２４１は迷惑電話と判定し、ステップＳ３３以降の処理に入り対策音出力の処理を行う。すなわち、対策音出力制御部２７３はステップＳ３３の処理において対策音を出力し、ステップＳ３４の処理において発信側の電話番号を記録、録音、着信回数のカウントを行う。そしてステップＳ３５の処理において受話器がオンフック（通話終了）されたか否かが判別される。オンフックされていなければステップＳ３３の処理に戻り、対策音の出力が継続される。
【００２９】
ステップＳ３５の判別処理において、オンフックが検出されると、図６のフローチャートのステップＳ４０の処理に進み、所定の時間、対策音の出力を継続する本発明の処理が行われる。すなわち、利用者が受話器をおいて（オンフック）して相手方との通話終了操作を行っても回線を切断せず、対策音の出力を継続することによって、迷惑電話抑制の効果を向上させる。
【００３０】
このため、ステップＳ４０の処理において回線切断の設定有無を判定する。回線切断までの時間設定がなされていない場合はステップＳ４４の処理に進み回線接続切断処理部２７４が直ちに回線を切断する。回線切断までの時間設定がなされていれば、ステップＳ４２の処理において回線接続継続処理部２７２は回線接続を継続する処理を行い、ステップＳ４２の処理において、対策音出力制御部２７３が対策音の出力を継続する。
【００３１】
ステップＳ４３の処理において、例えば相手側がオンフックしたことにより、回線が切断されたか否かを判別し、回線切断であると判定するとステップＳ４４の処理において回線を切断し、ステップＳ１１（図５参照）の処理に戻り着信待ちの状態に復帰する。そうでなければステップＳ４５の処理においてオフフック操作があったか否かが検出される。オフフック操作がなければステップＳ４３の処理に戻る。
【００３２】
ステップＳ４５の処理においてオフフックが検出されるとステップＳ４６の処理において相手方との回線を切断し（対策音出力を終了し）、ステップＳ４７の処理においてタイマＢ（第２のタイマ）が計数を開始する。そしてステップＳ４８の処理においてタイマＢの計数値が２．２秒経過したかを判別し、経過していなければステップＳ４８の処理を繰り返し、２．２秒経過していればステップＳ４９の処理において回線を接続する。
【００３３】
ステップＳ５０の処理においてはダイアル発信か判別し、ダイアル発信であれば相手側が応答した後にステップＳ５１の処理において通話を開始しステップＳ５２のオンフック検出処理に進む。ダイアル発信でなければステップＳ５２の処理においてオンフックされたか否かが検出され、オンフックが検出されればステップＳ５３の処理において回線を切断、通話を終了してステップＳ１１の処理に戻り着信待ちの状態に復帰する。ステップＳ５２の処理においてオンフックが検出されなければステップＳ５０の処理に戻る。
【００３４】
一方、図５のフローチャートにおいて、ステップＳ２０の処理で着信音を鳴動させた後、ステップＳ２１の処理において親機２０の受話器がオフフックされず、タイマＡの計数が所定時間を計数すると、留守番電話録音の処理に入る。すなわち、ステップＳ２２の処理において、タイマＡの計数時間が判定され、所定時間が計数されていなければステップＳ２０の処理に戻り、着信音の鳴動が継続される。
【００３５】
タイマＡの計数が所定時間を経過すると、ステップＳ２３の処理において着信音の鳴動が停止され、ステップＳ２４の処理において相手方との回線を接続し、録音を開始する。録音開始にあたって、ステップＳ２６の処理において留守番電話録音のメッセージを送出する。ステップＳ２７の処理において通話（録音）を終了し相手方が回線を切断すれば処理を終了し、ステップＳ１１の処理に戻り着信待ちの状態に復帰する。
【００３６】
以上、説明したように、迷惑電話であることを自動的に判別するとオフフックしなくても相手方と回線接続し、相手方が回線切断するまで迷惑電話に対する対策音を継続出力する（ステップＳ１３〜ステップＳ１８）。また、着信電話に対してオフフックして回線接続し通話を開始した後、利用者が迷惑電話と判別して対策キーを操作した場合、オンフックしても所定時間の間対策音出力を継続する（ステップＳ２１〜ステップＳ４３）。その後、利用者が通話のためにオフフック操作した場合には、オフフック検出部２７４が所定時間経過後に対策音出力を停止し、通話（発呼）を可能とする（ステップＳ４５〜ステップＳ５３）。
【００３７】
これにより、オンフック操作しても迷惑電話に対する対策音出力を所定時間継続することができるようになり、また、迷惑電話と判別したら直ぐに警察などに電話通報したい場合にオフフック操作した後、一定時間経過した後自動的に通話することが可能になる。従って迷惑電話抑制の効果を更に高めることができるようになる。
【００３８】
なお、上記の実施例において、オンフック検出後ステップＳ４０の処理において一定期間経過するまで対策音出力を継続する設定の有無を判別する構成を説明したが、この設定は、利用者が任意に設定する、しないを選択できるように構成し、また、この設定は通話前に予め行ってもよく、あるいは、ステップＳ３０の処理からステップＳ３５の処理（オンフック）までの間に、操作・表示部２６から設定するように構成することもできる。
【実施例２】
【００３９】
上記実施例１においては、図６のステップＳ４５〜ステップＳ４９の手順に示すように迷惑電話に対する対策音出力継続中にオフフック操作があると、２．２秒経過後に回線接続する例を説明したが、以下に説明する実施例２のように、迷惑電話に対する対策音出力継続中にオフフック操作があるとタイマＣ（第３のタイマ）により一定時間経過するまでの間、対策音出力を継続した後、回線切断し、その後２．２秒経過したら回線接続（再捕捉）して通話を開始できるようにすることもできる。
【００４０】
図７は、実施例２にかかるコードレス電話機の動作手順を示すフローチャートであり、実施例１における図６のフローチャートに対応する処理を示す図である。なお、実施例２におけるコードレス電話機の構成は図１〜図３に示す構成と同様の構成である。
【００４１】
図７のステップＳ５０〜ステップＳ５５の処理、ステップＳ６０〜ステップＳ６７の処理は、それぞれ図６のステップＳ４０〜ステップＳ４５の処理、ステップＳ４７〜ステップＳ５３の処理と同様の処理である。図６の処理と異なる手順は、ステップＳ５６〜ステップＳ６０の処理である。
【００４２】
すなわち、ステップＳ５５の処理においてオフフックガ検出されたら、ステップＳ５６の処理において相手方との回線接続を維持し、ステップＳ５７の処理において対策音出力を継続する。そして、ステップＳ５８の処理においてタイマＣ（第３のタイマ）による計数を開始し、ステップＳ５９の処理により一定時間、例えば、本実施例では「１分間」経過したか判別する。１分間経過したらステップＳ６０の処理において相手方との回線を切断する。１分間経過していなければ、ステップＳ５９の処理における経過時間監視を続ける。
【００４３】
このように構成すれば、迷惑電話に対する対策音出力継続中にオフフック操作があるとタイマＣ（第３のタイマ）により一定時間経過するまでの間、対策音出力を継続した後、回線切断し、その後２．２秒経過したら回線接続（再捕捉）して通話を開始できるようになる。
【実施例３】
【００４４】
また、実施例１、２においては同一電話番号から連続着信が所定回数あったら自動的に迷惑電話と判別し、また、通話中利用者が迷惑電話対策の「対策選択キー」を操作した場合に対策音出力を行う例を説明したが、更に、利用者がオフフックして回線接続後に無音である期間が所定時間を経過したら対策選択キーを自動的に有効とすることもできる。
【００４５】
図８は実施例２にかかるコードレス電話機の動作手順を示すフローチャートであり、実施例１における図５のフローチャートに対応する処理を示す図である。なお、実施例３におけるコードレス電話機の構成は図１〜図３に示す構成と同様の構成である。
【００４６】
図８に示すフローチャートにおいて、図５のフローチャートと異なる手順は、ステップＳ９１〜ステップＳ９５の処理手順が追加されている点である。その他の手順は図５の処理手順と同様である。
【００４７】
すなわち、ステップＳ９０の処理において回線接続されると、ステップＳ９１の処理において無音期間の測定が開始される。ステップＳ９２の処理において無音期間が１０秒経過したか判別し、１０秒経過していなければステップＳ９３の処理で通話状態が継続されステップＳ９４の処理において回線が切断されたか否か判別が行われる。回線が切断されていなければ、ステップＳ９２の処理に戻り、無音期間の監視が継続される。回線が切断されたらステップＳ５７の処理に戻り着信待ち状態に復帰する。
【００４８】
尚、Ｓ９１ステップにおける無音期間の検出はいたずら電話目的で発呼してきた相手側のみの無音期間である。
【００４９】
ステップＳ９２の処理において、無音期間が１０秒経過したことが検出されたら、ステップＳ９５の処理において対策選択検出部は、対策選択キーが操作されると対策音を出力可能な状態にする。換言すれば、ステップＳ９１までは対策音の出力を禁止した状態であるのに対し、発呼側の無音期間が所定時間（例えば、１０秒）を経過すると、前記対策選択キーを有効とし、対策選択キーが操作されると対策音を出力可能な状態にする。更に、ステップＳ９７の処理において、「対策選択キー」が操作されたか否かを判別し、「対策選択キー」が操作された場合も実施例１と同様に対策音出力の手順に移行する。
【００５０】
このように構成することによって、利用者がオフフックして回線接続後に無音である期間が所定時間を経過したら自動的に対策音出力を行うことができるようになる。
【００５１】
尚、本実施例では、ステップＳ９２で無音期間が１０秒を経過すると、ステップＳ９５で対策操作有効としたが、ステップＳ９２で無音期間が１０秒を経過すると、自動的に回線に対策音を出力する構成としても良いし。
【００５２】
又、いたずら電話は無言電話に限らず、回線接続直後に卑猥な言葉や中傷するような言葉を発する場合がある。このような場合にも対処できるように、無音期間が１０秒を経過する前に強制的に対策音を送出する為のキーを別途設けても良い。
【００５３】
更に、無音期間は１０秒に限らない。又、無音期間の設定は工場出荷時にメーカー側で行っても良いしユーザが設定或いは選択可能としても良い。
【００５４】
以上、詳細に説明したように本発明によれば、無音期間が所定時間以上であれば、対策操作を有効としている為、確実にいたずら電話目的の相手先のみに対策音を出力することができる。
【図面の簡単な説明】
【００５５】
【図１】本発明にかかるコードレス電話機の外観を示す図である。
【図２】本発明の実施例にかかる親機の構成を示すブロック図、
【図３】本発明の実施例にかかる子機の構成を示すブロック図である。
【図４】子機のメモリに記憶される着信履歴のデータを説明するための説明図である。
【図５】本発明の実施例１にかかるコードレス電話機の動作手順を示すフローチャートである。
【図６】本発明の実施例１にかかるコードレス電話機の動作手順を示すフローチャートである。
【図７】本発明の実施例２にかかるコードレス電話機の動作手順を示すフローチャートである。
【図８】本発明の実施例３にかかるコードレス電話機の動作手順を示すフローチャートである。
【図９】従来のコードレス電話機における迷惑電話着信時の動作手順を示すフローチャートである。
【符号の説明】
【００５６】
１０・・・・コードレス電話機置
２０・・・・親機
２１・・・・電話回線制御部
２２・・・・音声信号処理部
２３・・・・無線部
２４・・・・制御部
２４１・・・対策選択検出部
２５・・・・マイク・スピーカ部
２６・・・・操作・表示部
２７・・・・メモリ
２７１・・・迷惑電話対策処理部
２７２・・・回線接続継続処理部
２７３・・・対策音出力制御部
２７４・・・オフフック検出部
２７５・・・回線接続切断処理部
２８・・・・アンテナ
Ｎ・・・・・公衆電話回線
３０・・・・子機
３２・・・・音声信号処理部
３３・・・・無線部
３４・・・・制御部
３５・・・・マイク・スピーカ部
３６・・・・操作・表示部
３７・・・・メモリ
３８・・・・アンテナ
【図１】
0004530946.tif 000002
【図２】
0004530946.tif 000003
【図３】
0004530946.tif 000004
【図４】
0004530946.tif 000005
【図５】
0004530946.tif 000006
【図６】
0004530946.tif 000007
【図７】
0004530946.tif 000008
【図８】
0004530946.tif 000009
【図９】
0004530946.tif 000010